(57)【要約】【課題】  遊技球が衝突する被衝突体の位置ずれにより遊技性が損なわれることを抑制できる遊技機を提供すること。【解決手段】  遊技が可能な遊技機１であって、遊技媒体が衝突する被衝突体（弾性部材６００）と、遊技盤２に取付けられ、前記被衝突体（弾性部材６００）を前記遊技盤２の所定位置に保持する第１保持体（レール飾り枠４１０）と、前記遊技盤２に取付けられた前記第１保持体（レール飾り枠４１０）を保持する第２保持体（盤押え金具１６２ａ）と、を備える。【選択図】図６
2018046992.tif 000002
【特許請求の範囲】
【請求項１】
遊技が可能な遊技機であって、
遊技媒体が衝突する被衝突体と、
遊技盤に取付けられ、前記被衝突体を前記遊技盤の所定位置に保持する第１保持体と、
前記遊技盤に取付けられた前記第１保持体を保持する第２保持体と、
を備える
ことを特徴とする遊技機。
【発明の詳細な説明】
【技術分野】
【０００１】
本発明は、遊技が可能な遊技機に関する。
【背景技術】
【０００２】
遊技機の一例であるパチンコ遊技機にあっては、遊技領域に打ち出された遊技媒体が衝突するゴム材等からなる被衝突体を備えるもの等がある。このような被衝突体は、遊技媒体が衝突したときに衝撃を吸収して跳ね返すようになっている。
【０００３】
この種の遊技機において、例えば、被衝突体を変位可能な状態で保持する保持体を備え、該保持体をネジにより遊技盤に取付けることで被衝突体を遊技盤の所定位置に保持したもの等がある（例えば、特許文献１参照）。
【先行技術文献】
【特許文献】
【０００４】
【特許文献１】特開２０１５−１４７１２６号公報
【発明の概要】
【発明が解決しようとする課題】
【０００５】
上記特許文献１に記載の遊技機にあっては、保持体がネジにより遊技盤に取付けられていることで、被衝突体に遊技媒体が衝突する衝撃が保持体に伝播して該保持体を遊技盤に取付けるネジが緩むなどして保持体の位置ずれが生じると、被衝突体に衝突した遊技媒体の跳ね返り角度等が不安定になり、遊技媒体の入賞率等の遊技性に影響が及ぶ虞があるといった問題があった。
【０００６】
本発明は、このような問題点に着目してなされたもので、被衝突体の位置ずれにより遊技性が損なわれることを抑制できる遊技機を提供することを目的とする。
【課題を解決するための手段】
【０００７】
前記課題を解決するために、本発明の手段１の遊技機は、
遊技が可能な遊技機（例えば、パチンコ遊技機１）であって、
遊技媒体が衝突する被衝突体（例えば、弾性部材６００）と、
遊技盤に取付けられ、前記被衝突体を前記遊技盤の所定位置に保持する第１保持体（例えば、弾性部材６００が取付けられた状態で遊技盤２に取付けられるレール飾り枠４１０）と、
前記遊技盤に取付けられた前記第１保持体を保持する第２保持体（例えば、レール飾り枠４１０を押える盤押え金具１６２ａのレール押え片１７４、第２外レール５０３、ガラス扉枠５０）と、
を備える
ことを特徴としている。
この特徴によれば、被衝突体を保持する第１保持体が遊技盤に取付けられた状態で第２保持体により保持されることで、第１保持体の安定性が向上するため、被衝突体の位置ずれにより遊技性が損なわれることを抑制できる。
【０００８】
本発明の手段２の遊技機は、手段１に記載の遊技機であって、
前記第１保持体は、前記第２保持体による保持状態を解除しない限り前記遊技盤から取外すことができない（例えば、ガラス扉枠５０を開放し、盤押え金具１６２ａと第２外レール５０３とネジＮ１とを取外さなければ、レール飾り枠４１０を遊技盤２から取外すことができない）
ことを特徴としている。
この特徴によれば、第１保持体が遊技盤から容易に取外されることを抑制できる。
【０００９】
本発明の手段３の遊技機は、手段１または２に記載の遊技機であって、
前記第１保持体は、前記被衝突体の保持位置からの位置ずれを規制する規制部（例えば、弾性部材６００に係合して該弾性部材６００の保持位置からの位置ずれを規制するレール飾り枠４１０の第１保持部４２１の板状部４２５及び突出部４２２、第２保持部４２３の被係合部４２７／第２保持部４２３の係合突部４２８）を有する
ことを特徴としている。
この特徴によれば、第１保持体に対し被衝突体が位置ずれして遊技性が損なわれることを抑制できる。
【００１０】
本発明の手段４の遊技機は、手段３に記載の遊技機であって、
前記規制部は、前記被衝突体を保持した状態において該被衝突体が当接する当接面であって、互いに向きが異なる複数の当接面（例えば、レール飾り枠４１０の第１保持部４２１の板状部４２５において弾性部材６００に当接する内側面と、第２保持部４２３において弾性部材６００に当接する面）から構成される
ことを特徴としている。
この特徴によれば、被衝突体を向きが異なる複数の当接面で押えることができるので、該被衝突体の位置ずれを好適に抑制できる。
【００１１】
本発明の手段５の遊技機は、手段１〜４のいずれかに記載の遊技機であって、
前記第１保持体には、遊技媒体が通過可能な通路を形成する通路形成部が一体に形成されている（例えば、レール飾り枠とセンター飾り枠と通過経路とを一体に形成した飾り枠８００。図１３の変形例１）
ことを特徴としている。
この特徴によれば、第１保持体と通路との位置関係がずれることで遊技性が損なわれることを抑制できる。
【００１２】
本発明の手段６の遊技機は、手段１〜５のいずれかに記載の遊技機であって、
前記第１保持体は、前記被衝突体に形成された挿入孔に挿入される保持用ピン（例えば、レール飾り枠４１０の第１保持部４２１の突出部４２２）を有し、
前記保持用ピンは、基部側の外径が先端部側の外径よりも大きい（例えば、突出部４２２は、突出方向の根本部の外径が先端部の外径よりも大きい）
ことを特徴としている。
この特徴によれば、被衝突体に生じる衝撃に対する保持用ピンの耐久性を高めることができる。
【００１３】
本発明の手段７の遊技機は、手段１〜６のいずれかに記載の遊技機であって、
前記第１保持体は、前記被衝突体に形成された挿入孔に挿入される保持用ピン（例えば、レール飾り枠４１０の第１保持部４２１の突出部４２２）を有し、
前記保持用ピンの内部には中空部（例えば、第１保持部４２１の凹部４２６）が形成されている
ことを特徴としている。
この特徴によれば、保持用ピンの強度が高まるので、耐久性が向上する。
【００１４】
本発明の手段８の遊技機は、手段１〜７のいずれかに記載の遊技機であって、
前記被衝突体は、少なくとも遊技媒体が衝突する衝突部が前記第１保持体の外側に位置するように該第１保持体により保持される（例えば、弾性部材６００の被衝突面６０１がレール飾り枠４１０の第１保持部４２１より突出した状態で該第１保持部４２１により保持される）
ことを特徴としている。
この特徴によれば、第１保持体に遊技媒体が衝突して該第１保持体が破損することを抑制できる。
【００１５】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１６】
【図１】パチンコ遊技機を正面から見た正面図である。
【図２】主基板における回路構成の一例を示すブロック図である。
【図３】ガラス扉枠を開扉した状態のパチンコ遊技機の構成を示す斜視図である。
【図４】遊技盤が取付けられた遊技機用枠を示す正面図である。
【図５】（Ａ）は上方の盤押え金具を示す斜視図、（Ｂ）は下方の盤押え金具を示す斜視図である。
【図６】遊技盤の構成を示す正面図である。
【図７】遊技領域を形成するスペーサ部材、盤面板、案内レール（第１外レール、第２外レール、内レール）、レール飾り枠の構造を示す斜視図である。
【図８】レール飾り枠の右側部の構造を示す斜視図である。
【図９】（Ａ）はレール飾り枠の右側部の背面図、（Ｂ）は（Ａ）のＡ−Ａ断面図、（Ｃ）は（Ａ）のＢ−Ｂ断面図である。
【図１０】（Ａ）は弾性部材の構成を示す６面図、（Ｂ）は（Ａ）の断面図である。
【図１１】（Ａ）は第１外レールの右端部の構成を示す斜視図、（Ｂ）は第１外レールの右端部の他の構成を示す斜視図である。
【図１２】（Ａ）はパチンコ遊技機の正面図、（Ｂ）は（Ａ）に示すパチンコ遊技機の平面断面図である。
【図１３】（Ａ）は変形例１としてのレール飾り枠の右側部の正面図、（Ｂ）は（Ａ）のＤ−Ｄ断面図である。
【図１４】（Ａ）は変形例２としての弾性部材の変形例を示す斜視図、（Ｂ）は（Ａ）の変形例の断面図である。
【図１５】（Ａ）は変形例３としてのレール飾り枠の右側部の背面図、（Ｂ）は（Ａ）のＥ−Ｅ断面図である。
【発明を実施するための形態】
【００１７】
本発明に係る遊技機を実施するための形態を実施例に基づいて以下に説明する。
【実施例】
【００１８】
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００１９】
図１は、本実施例におけるパチンコ遊技機の正面図であり、主要部材の配置レイアウトを示す。パチンコ遊技機（以下、遊技機と略記する場合がある）１は、大別して、遊技盤面２００Ａを前面側に有する遊技盤２（ゲージ盤ともいう）と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球Ｐが打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。また、ガラス扉枠５０は、遊技機用枠３の前面全域を被覆可能な大きさに形成されており、ガラス窓５０ａの下方には打球操作ハンドル５１が設けられている。尚、以下の説明においては、遊技球Ｐを遊技球と称することがある。
【００２０】
遊技盤２は、アクリル樹脂、ポリカーボネート樹脂、メタクリル樹脂等の透光性を有する合成樹脂材にて正面視略四角形状に形成され、前面である遊技盤面２００Ａに障害釘（図示略）やガイドレール２ｂ等が設けられた盤面板２００と、該盤面板の背面側に一体的に取付けられるスペーサ部材２５０と、から主に構成されている。尚、本実施例の遊技盤２は、透光性を有する合成樹脂材にて構成されていたが、これに限られるものではなく、ベニヤ板等の非透光性部材にて正面視略四角形状に構成されていてもよい。
【００２１】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２２】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２３】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２４】
演出表示装置５は、遊技盤２よりも背面側に配設され、該遊技盤２に形成された開口２ｃを通して視認できるようになっている。尚、遊技盤２における開口２ｃには枠状のセンター飾り枠５２が設けられている。
【００２５】
演出表示装置５の表示領域の下部の左右２個所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２６】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２７】
第１特別図柄表示器４Ａ及び第２特別図柄表示器４Ｂの右側方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２８】
演出表示装置５の下方には、普通入賞球装置６Ａが設けられ、演出表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板を有する普通電動役物を備え、始動領域（第２始動領域）としての第２始動入賞口を形成する。
【００２９】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００３０】
図１に示すように、普通入賞球装置６Ａの右方位置には、特別可変入賞球装置７が設けられている。特別可変入賞球装置７は、図２に示すソレノイド８２によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００３１】
大入賞口を通過（進入）した遊技球が図２に示すカウントスイッチ２３によって検出されたことに基づき、所定個数（例えば１５個）の遊技球が賞球として払い出される。従って、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３２】
また、演出表示装置５の左側下方及び右側方位置には、入賞口形成部材により形成された一般入賞口４０１Ａ，４０１Ｂ，４０１Ｃが設けられている。この一般入賞口４０１Ａ，４０１Ｂ，４０１Ｃを通過（進入）した遊技球は、図示しない誘導通路により遊技盤２の背面側に設けられた入賞スイッチ３０（図２参照）に誘導され、入賞スイッチ３０により該遊技球が通過（進入）したことが検出される。そして、入賞スイッチ３０により遊技球の通過（進入）が検出されたことに基づき、賞球として所定個数（例えば１０個）の遊技球の払い出しのみが行われる。
【００３３】
第２保留表示器２５Ｂの右側方位置には、普通図柄表示器２０が設けられている。普通図柄表示器２０の右側方位置には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３４】
遊技領域１０の下方における遊技機用枠３の所定位置には、賞球として払い出された遊技球や所定の球貸機により貸し出された遊技球を、打球発射装置（図示略）へと供給可能に保持（貯留）する図示しない上皿（打球供給皿）が設けられている。遊技機用枠３の下部には、上皿から溢れた余剰球やファール球などをパチンコ遊技機１の外部へと排出する排出口（図示略）が設けられている。
【００３５】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００３６】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００３７】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３、入賞スイッチ３０からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００３８】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００３９】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００４０】
図２に示すように、演出制御基板１２は、主基板１１とは独立したサブ側の制御基板であり、中継基板１５を介して主基板１１から伝送された制御信号を受信して、演出表示装置５、スピーカ８Ｌ，８Ｒ及び演出用ＬＥＤ９といった演出用の電気部品による演出動作を制御するための各種回路が搭載されている。
【００４１】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００４２】
演出表示装置５の演出図柄表示エリア５Ｌ，５Ｃ，５Ｒでは、特図ゲームが開始されることに対応して、演出図柄の変動表示が開始される。
【００４３】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。また、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００４４】
次に、図３〜図５に基づいて、パチンコ遊技機１の構造について説明する。図３は、遊技機用枠を開放した状態を示す斜視図である。図４は、遊技盤が取付けられた遊技機用枠を示す正面図である。図５は、（Ａ）は上方の盤押え金具を示す斜視図、（Ｂ）は下方の盤押え金具を示す斜視図である。
【００４５】
図３に示すように、外枠６０は、上板６１、下板６２、左側板６３及び右側板６４により縦長四角枠状に形成されている。上板６１及び下板６２は木材により板状に形成されており、遊技場等に設置される図示しない遊技島に釘等を介して設置固定できるようになっている。左側板６３及び右側板６４は、アルミニウム材の押出成型により板状に形成されている。
【００４６】
外枠６０の開口下部には幕板２１４が設けられ、開口下部が閉塞されている。外枠６０の左上角部及び左下角部には、遊技機用枠３の左上角部及び左下角部に設けられた上下方向を向く回動軸（図示略）を回動可能に支持する軸受部（図示略）が設けられており、遊技機用枠３は、外枠６０の左側辺付近を中心として該外枠６０の開口を閉鎖する閉鎖位置と開口を開放する開放位置との間で回動可能に支持されている。
【００４７】
図４に示すように、遊技機用枠３には、遊技盤２の背面側に設けられる遊技用部品ユニット（図示略）が挿入可能な大きさを有する開口部１６０が形成されている。また、開口部１６０の左側上下位置には、係止凹部１６１ａ，１６１ｂが設けられているとともに、右側上下位置には、盤押え金具１６２ａ，１６２ｂが設けられており、遊技盤２の左端部を係止凹部１６１ａ，１６１ｂに差し込んだ状態で、右端部を盤押え金具１６２ａ，１６２ｂで係止することにより取付けられるようになっている。
【００４８】
図５（Ａ）に示すように、盤押え金具１６２ａは、遊技機用枠３に固定されるベース部１７０と、ベース部１７０に対し右側に設けられた上下方向を向く回動軸１７１を中心として回動可能に設けられた回動部１７２と、回動部１７２に対しスライド移動可能に設けられた係止部１７３と、回動部１７２の回動軸１７１側から下方に垂下されるレール押え片１７４と、から主に構成される。
【００４９】
回動部１７２は、回動軸１７１に環装されたコイルバネ（図示略）により常時開放方向に向けて付勢されており、下部には、遊技盤２の前面上辺右側を前側から押える盤押え片１７２ａが左右方向に向けて延設されている。係止部１７３は、ベース部１７０に形成された被係止部（図示略）に係止可能な係止爪（図示略）と、係止解除操作を行うための操作片１７３ｂと、を有し、圧縮バネ（図示略）により常時係止方向に向けて付勢されている。
【００５０】
このように構成された盤押え金具１６２ａは、図５（Ａ）において２点鎖線で示す係止解除状態において、回動部１７２をコイルバネ（図示略）の付勢力に抗して係止位置（図５（Ａ）において実線で示す位置）へ移動させることで、係止爪（図示略）が被係止部（図示略）に係止される係止状態となる。また、図５（Ａ）において実線で示す係止状態において、圧縮バネ（図示略）の付勢力に抗して操作片１７３ｂを操作して係止部１７３を回動軸１７１側へ移動させると、図５（Ａ）に示すように係止爪（図示略）による被係止部（図示略）への係止が解除され、回動部１７２がコイルバネ（図示略）の付勢力により開放位置へ回動する。
【００５１】
図５（Ｂ）に示すように、盤押え金具１６２ｂは、遊技機用枠３に固定されるベース部１８０と、ベース部１８０に対し右側に設けられた上下方向を向く回動軸１８１を中心として回動可能に設けられた回動部１８２と、回動部１８２に対しスライド移動可能に設けられた係止部１８３と、から主に構成される。
【００５２】
回動部１８２は、回動軸１８１に環装されたコイルバネ１８４により常時開放方向に向けて付勢されており、下部には、遊技盤２の前面下辺右側を前側から押える盤押え片１８２ａが左右方向に向けて延設されている。係止部１８３は、ベース部１８０に形成された被係止部（図示略）に係止可能な係止爪（図示略）と、係止解除操作を行うための操作片１８３ｂと、を有し、圧縮バネ（図示略）により常時係止方向に向けて付勢されている。
【００５３】
このように構成された盤押え金具１６２ｂは、図５（Ｂ）において２点鎖線で示す係止解除状態において、回動部１８２をコイルバネ（図示略）の付勢力に抗して係止位置（図５（Ｂ）において実線で示す位置）へ移動させることで、係止爪（図示略）が被係止部（図示略）に係止される係止状態となる。また、図５（Ｂ）において実線で示す係止状態において、圧縮バネ（図示略）の付勢力に抗して操作片１８３ｂを操作して係止部１８３を回動軸１８１側へ移動させると、図５（Ｂ）に示すように係止爪（図示略）による被係止部（図示略）への係止が解除され、回動部１８２がコイルバネ（図示略）の付勢力により開放位置へ回動する。
【００５４】
ここで、遊技盤２の遊技機用枠３への取付方法について、図４、図５に基づいて説明する。遊技盤２を遊技機用枠３へ取付ける場合、まず、上下の盤押え金具１６２ａ，１６２ｂの回動部１７２，１８２及び係止部１７３，１８３を開放位置へ移動しておく。次いで、遊技盤２の背面を開口部１６０に向けた状態で、遊技機用枠３の前方から遊技盤２の左側辺部を係止凹部１６１ａ，１６１ｂに差し込み、該係止凹部１６１ａ，１６１ｂを中心として遊技盤２の右側辺部を後方に向けて押し込む。そして、遊技盤２の背面周縁部が遊技機用枠３の開口部１６０の周縁部に当接することで遊技盤２が遊技機用枠３に位置決めされ、遊技盤２の背面が開口部１６０を介して背面側に臨む。
【００５５】
また、遊技機用枠３の前方から遊技盤２の左側辺部を係止凹部１６１ａ，１６１ｂに差し込み、該係止凹部１６１ａ，１６１ｂを中心として遊技盤２の右側辺部を後方に向けて押し込んで遊技盤２を開口部１６０に配置した状態で、上下の盤押え金具１６２ａ，１６２ｂの回動部１７２，１８２及び係止部１７３，１８３を開放位置から係止位置へ移動することで、遊技盤２の前面における上下辺部の右側が盤押え片１７２ａ，１８２ａにより前方から押えられる。そして、係止爪（図示略）が被係止部（図示略）に係止されることで、遊技盤２が係止凹部１６１ａ，１６１ｂと上下の盤押え金具１６２ａ，１６２ｂとにより遊技機用枠３に取付けられた状態で保持される。また、盤押え片１７２ａ，１８２ａは遊技盤２の上下辺に沿って延設される平坦面を有しており、該平坦面にて遊技盤２の前面上下辺部を押えるため、遊技盤２を安定して遊技機用枠３に保持することができる。
【００５６】
また、レール押え片１７４は、後述するレール飾り枠４１０の前面上右部に対向する平坦面を有しており、該平坦面にてレール飾り枠４１０の前面上右部を押えるため、レール飾り枠４１０を安定して保持することができる（図４、図６参照）。
【００５７】
次に、遊技盤２について、図６及び図７に基づいて説明する。図６は、遊技盤を示す正面図である。図７は、遊技盤等の構成を示す分解斜視図である。
【００５８】
図６及び図７に示すように、遊技盤２は、盤面板２００と、該盤面板２００の背面側に一体的に取付けられるスペーサ部材２５０と、から主に構成されている。盤面板２００の厚さは約１０ｍｍ程度であり、全体が透明に形成されている。また、盤面板２００は、その前面側に該盤面板２００と略平行に配置されるガラス窓５０ａとの間に遊技領域１０を形成する。
【００５９】
尚、本実施例では盤面板２００全体が透明に形成されているが、当該盤面板２００の前面側からその背面側に配設される装飾体（図示略）等を透視可能な透光性部材にて形成されていれば、半透明であってもよいし、着色されていてもよい。また、全体が透光性を有していなくても、少なくとも遊技領域１０の一部に透光部が形成されていてもよい。
【００６０】
スペーサ部材２５０は、非透光性部材により正面視略四角枠状に形成され、盤面板２００の背面周縁部が配置される取付部２５０Ａを有し、該取付部２５０Ａの前面部には、盤面板２００の位置を決定するための位置決め用ボスが複数突設されているとともに、取付ネジが螺入されるネジ孔を有する取付用ボスが複数突設されている。尚、スペーサ部材２５０における取付部２５０Ａの板厚は約１０ｍｍ程度とされているため、スペーサ部材２５０と盤面板２００とで板厚が約２０ｍｍの遊技盤２が形成されるようになっている。
【００６１】
盤面板２００には、背面側に配設される演出表示装置５の表示画面を前面側に臨ませるとともに、センター飾り枠５２が取付けられる第１孔部２０１と、特別可変入賞球装置７、普通可変入賞球装置６Ｂ及び誘導通路を有する第１誘導部材ユニット３００が取付けられる第２孔部２０２と、普通入賞球装置６Ａが取付けられる第３孔部２０３と、アウト口１６を形成する第４孔部２０４と、通過ゲート４１が取付けられる第５孔部２０５と、一般入賞口形成部材が取付けられる第６孔部２０６Ａ〜２０６Ｃと、が前後方向に貫通して形成されている（図７参照）。
【００６２】
また、盤面板２００の前面である遊技盤面２００Ａにおける第１誘導部材ユニット３００の右斜め上方位置には遊技球を誘導する第２誘導部材ユニット３０１が取付けられ、一般入賞口形成部材の左方位置には、遊技球を誘導する第３誘導部材ユニット３０２が取付けられている。
【００６３】
また、遊技盤面２００Ａには、遊技領域１０の周囲に設けられる案内レール５００が取付けられている。この案内レール５００は、遊技領域１０の外縁を形成する外レールと、外レールの内側に取付けられる内レール５０１（レール部材）と、を備えている。詳しくは、外レールは、遊技領域１０の左下から右上にかけて湾曲しながら延びる第１外レール５０２と、第１外レール５０２における右端（前記発射口と反対側の端部）から下方側に所定長さ延び、そこからアウト口１６に向けて所定長さ延びる第２外レール５０３と、からなる。第１外レール５０２は、帯板状の金属材からなり、該第１外レール５０２の外側に配設されるレール飾り枠４１０の円弧状の内側面に嵌め込まれた状態で遊技盤面２００Ａに対してレール飾り枠４１０が複数のネジＮ１で固定することにより取付けられる。尚、図４、図６では、説明の便宜上、実際よりもネジＮ１の数を減らして図示している。
【００６４】
また、第２外レール５０３は、合成樹脂材からなり、遊技盤面２００Ａに対して複数のネジＮ２により取付けられる。この第２外レール５０３の下部には、前述した第１特別図柄表示器４Ａ、第２特別図柄表示器４Ｂ、第１保留表示器２５Ａ、第２保留表示器２５Ｂ、普通図柄表示器２０、普図保留表示器２５Ｃが設けられている。また、第２外レール５０３の右側には、製造年月日等が表記された第三者機関発行の図示しないラベル（証紙）が貼付されるラベル貼付部５２０が形成されている。ラベルが貼られていない遊技機はホールに配置することができないため、ラベル貼付部５２０を有する第２外レール５０３は、盤面板２００から容易に取外すことができないように固定されている。
【００６５】
内レール５０１は、合成樹脂材からなり、第２外レール５０３の左端から右側に湾曲しながら所定長さ上方に円弧状に延びている。この内レール５０１は、第２外レール５０３の左端（第２外レール５０３の下部の左端）に設けられた係止溝５０３ａに係止可能な係止爪５０１ａを備えており、係止溝５０３ａと係止爪５０１ａとの係止により第２外レール５０３に対して連結される。つまり、内レール５０１は、盤面板２００に強固に固定される第２外レール５０３とユニット化されるため、盤面板２００に安定して取付けることができる。また、内レール５０１は、後述する固定部５０４Ｔ，５０４Ｕにて遊技盤面２００Ａに対して複数のネジＮ３により取付けられる。
【００６６】
尚、第１外レール５０２（レール飾り枠４１０）、第２外レール５０３、内レール５０１がネジＮ１、ネジＮ２、ネジＮ３により盤面板２００に固定される形態について説明したが、本発明はこれに限定されるものではなく、溶接や圧入によって盤面板２００に取付け（固定）されてもよい。
【００６７】
内レール５０１と第１外レール５０２との間には、発射球通路４０２が形成され、打球発射装置から打ちこまれた遊技球Ｐが発射球通路４０２に案内されて遊技領域１０内に流入する。具体的には、遊技盤２の右下方に設けられる図示しない打球発射装置から打ち出された遊技球Ｐは、第１外レール５０２に沿って発射球通路４０２を上方に向けて移動して遊技領域１０の左上部へ誘導される。そして、遊技者が打球操作ハンドル５１を第１操作した場合、遊技領域１０に進入した遊技球Ｐはセンター飾り枠５２の左側の第１経路Ｋ１を流下し、遊技者が打球操作ハンドル５１を第１操作よりも発射強度が強くなる第２操作した場合、遊技領域１０に進入した遊技球Ｐはセンター飾り枠５２の右側の第２経路Ｋ２を流下するようになっている。
【００６８】
尚、内レール５０１の自由端（上端）には、球戻り防止装置７００が設けられている。この球戻り防止装置７００は、内レール５０１の自由端に対し揺動可能に軸支される板状の開閉部７０１を有し、開閉部７０１が、図示しない錘部により発射球通路４０２を閉塞するように付勢されている。また、開閉部７０１が発射球通路４０２を閉塞した状態にあっては、前記錘部が内レール５０１に係止しており、それ以上左回りに回動しないようになっている（図６参照）。これによれば、打球発射装置から打ちこまれた遊技球Ｐは、前記錘部による付勢に抗して開閉部７０１を跳ね上げて遊技領域１０内に流入するとともに、遊技領域１０から発射球通路４０２内に戻ろうとする遊技球Ｐは、開閉部７０１によって発射球通路４０２内への戻りが防止される。
【００６９】
次に、第１外レール５０２の外側に配設されるレール飾り枠４１０について、図７を参照して説明する。レール飾り枠４１０は、遊技領域１０の左下から左上を介して右上に亘る弧状に形成された樹脂製部材である。このレール飾り枠４１０の円弧状の内側面には第１外レール５０２が装着される。また、レール飾り枠４１０の内側面において第１外レール５０２の先端部（図６の右上部）が取付けられる箇所には、ゴムなどの弾性体で形成された弾性部材６００が被衝突体として取付けられており、所定以上の勢いで打球発射装置（図示略）から発射され第１外レール５０２の内側面に沿って移動してきた遊技球が弾性部材６００に当たって勢いを減衰しつつ遊技領域１０の中央部側へ跳ね返される。
【００７０】
また、第１外レール５０２には、弾性部材６００を保持する保持部が形成されている。保持部は、弾性部材６００に穿設された貫通孔６０２に圧入される突出部４２２（図９（Ｂ）参照）が内側面に形成された板状の第１保持部４２１と、弾性部材６００において遊技球が衝突する被衝突面６０１とは反対側の面である裏側面６０４に対向する第２保持部４２３とを少なくとも備えている。
【００７１】
第１保持部４２１は、弾性部材６００の貫通孔６０２に該第１保持部４２１の突出部４２２が圧入されることで弾性部材６００を支持するとともに、弾性部材６００に遊技球が衝突した場合でも弾性部材６００の位置がずれないようにしている。また、第１保持部４２１の突出部４２２から引き抜くことで弾性部材６００を取外すことができるので、メンテナンス性が向上する。
【００７２】
第１保持部４２１の突出部４２２には、突出方向の根本部と先端部との間に段差部４２４が形成されており、弾性部材６００の貫通孔６０２に形成された段差部６０３に係合することにより、遊技球が衝突しても弾性部材６００の位置がずれるのを防止する。
【００７３】
また、突出部４２２においては、段差部４２４を境界として先端部の径よりも根本部の径が太くなっている。このため、該突出部４２２の耐久性を高めて丈夫にすることができ、該突出部４２２の折損を防止できる。
【００７４】
また、第１保持部４２１は、内側面（後面）に突出部４２２が形成された板状部４２５を有し、この板状部４２５の外側面（前面）には、突出部４２２に対応する部分から突出部４２２の内部に向かって凹設された凹部４２６が形成されている。この凹部４２６を設けて突出部４２２の内部を肉抜き成形することで、該突出部４２２の耐久性を向上できる。また、第１保持部４２１の前面には、シール部材が貼付されることで、第１保持部４２１の前面に形成された凹部４２６の前面開口が閉塞されるようになっている。
【００７５】
第２保持部４２３は、弾性部材６００の裏側面６０４に設けられた段差部６０５に係合する被係合部４２７を有している。このため、遊技球が衝突するなどして弾性部材６００に衝撃が与えられても、該弾性部材６００の位置がずれたり、該弾性部材６００が貫通孔６０２に圧入された突出部４２２を中心として回転したりするのを防止できる。
【００７６】
また、弾性部材６００が保持部（第１保持部４２１及び第２保持部４２３）に取付けられ、該保持部を有するレール飾り枠４１０が遊技盤２に取付けられた状態においては、図９（Ｂ）に示すように、弾性部材６００と遊技盤２との間に間隙２６が形成される。この間隙２６を有することで、弾性部材６００に遊技球が衝突した衝撃が遊技盤２に伝播するのを防止している。
【００７７】
弾性部材６００は、図１０に示すように、略直方体状に形成されており、貫通孔６０２の形状である円筒形状の中心と被衝突面６０１との距離Ｌ１は、貫通孔６０２の形状である円筒形状の中心と裏側面６０４との距離Ｌ２よりも長くなっている。これにより、被衝突面６０１に遊技球が衝突した衝撃を距離Ｌ１の範囲にある弾性部材６００の弾性体で十分に吸収することができる。
【００７８】
また、弾性部材６００は、保持部（第１保持部４２１及び第２保持部４２３）により保持された状態において、少なくとも被衝突面６０１が第１保持部４２１の端部から突出している（図６参照）。このため、打球発射装置（図示略）から発射された遊技球が所定以上の勢いで第１外レール５０２に沿って飛んでくると、弾性部材６００の被衝突面６０１に必ず衝突するようになり、第１保持部４２１には衝突しないので、第１保持部４２１の損傷を防止できる。
【００７９】
また、被衝突面６０１は、図９（Ａ）に示すように、保持部（第１保持部４２１及び第２保持部４２３）により保持された状態において、図９（Ａ）に示すように、被衝突面６０１が第１外レール５０２の所定点における接線に対し垂直な法線Ｔ１に対し遊技領域１０の中央部側へ向けて開放するように所定角度θ１傾くとともに、遊技盤面２００Ａに対し垂直な垂線Ｔ２に対し遊技盤面２００Ａ側へ向けて所定角度θ２傾く傾斜面として形成されている。
【００８０】
よって、第１外レール５０２に沿って移動してきた遊技球Ｐが保持部（第１保持部４２１及び第２保持部４２３）により保持された被衝突面６０１に衝突したとき、該遊技球Ｐを第１外レール５０２から離れる方向へ向けて遊技盤面２００Ａ側へ跳ね返す。よって、弾性部材６００の下方に広がる遊技領域１０において第１外レール５０２から離れた位置に設けられた通過ゲート４１や一般入賞口４０１Ｃへ誘導することができるとともに、跳ね返った遊技球Ｐが第１外レール５０２に沿って移動してきた後続の遊技球Ｐと衝突して後続球の流下に影響を及ぼすことを回避できる。また、跳ね返った遊技球Ｐがガラス窓５０ａへ衝突してガラス窓５０ａを傷付けることを回避できる。
【００８１】
このように弾性部材６００は、保持部（第１保持部４２１及び第２保持部４２３）により保持された状態における被衝突面６０１の傾きや反発力等に応じて遊技球Ｐの跳ね返り角度や速度に影響が及ぶものであるため、保持された状態で傾きが変わることがあると跳ね返された遊技球Ｐの流下経路にも影響を及ぼす部材である。
【００８２】
また、弾性部材６００における貫通孔６０２の開口周縁は、面取りされている。これにより、弾性部材６００の向き（表裏）を間違えることがなくなるととともに、該貫通孔６０２に対してレール飾り枠４１０の第１保持部４２１の突出部４２２が挿入容易となる。
【００８３】
また、弾性部材６００においては、前述したように、貫通孔６０２の形状である円筒形状の中心と被衝突面６０１との距離Ｌ１が、貫通孔６０２の形状である円筒形状の中心と裏側面６０４との距離Ｌ２よりも長くなっている。このため、レール飾り枠４１０に対して弾性部材６００を取付けるときの向きを間違えることがなくなる。
【００８４】
また、弾性部材６００において、貫通孔６０２は、略直方体状の６つの面のうちの１の面とこれに対向する１の面とを貫いた孔として穿設されており、この貫通孔６０２に挿入される第１保持部４２１の突出部４２２は、その端部が少なくとも貫通孔６０２の中間地点かあるいはこれよりも奥側に達している。これにより、遊技球が衝突したときの衝撃の吸収性を高めることができる。尚、弾性部材６００に穿設される孔は、貫通孔に限るものではなく、貫通していない穴であってもよい。
【００８５】
第１外レール５０２の右側の先端部には、図１１に示すように、発生した静電気を逃がすためのアース５１１が形成されている。また、第１外レール５０２におけるアース５１１の近傍には、円弧状の第１外レール５０２の外側に向かって湾曲した曲状部５１２が形成されている。この曲状部５１２を有することにより、第１外レール５０２のアース５１１をレール飾り枠４１０の裏面側に嵌め込む作業が容易となる。例えば、レール飾り枠４１０の左下部に第１外レール５０２の左下部を嵌合し、レール飾り枠４１０の内側面に第１外レール５０２を沿わせていき、アース５１１をレール飾り枠４１０の右上部における背面側に嵌め込むときに、曲状部５１２を曲げるなどして、そのアース５１１の向きを微調整しながらレール飾り枠４１０の右上部における背面側の所定位置に嵌め込むことができる（図９（Ａ）参照）。
【００８６】
また、図９（Ｃ）に示すように、第１外レール５０２と弾性部材６００とは、レール飾り枠４１０に取付けられた状態において互いに所定の隙間を隔てて配置されている。よって、例えば、第１外レール５０２に沿って遊技球Ｐが移動することにより生じる振動が弾性部材６００に伝達されて遊技球Ｐの跳ね返り角度や速度等に影響を及ぶことがないようにしている。また、弾性部材６００に遊技球Ｐが衝突することにより生じる振動が第１外レール５０２に伝達されて第１外レール５０２に沿って移動する遊技球Ｐの流下経路に影響を及ぼすことが回避される。
【００８７】
また、弾性部材６００は、レール飾り枠４１０に取付けられた状態において第１外レール５０２の端部に形成された曲状部５１２の近傍位置に近接した状態で設けられている。つまり、図９（Ａ）に示すように、第１外レール５０２は、弾性部材６００に沿って配置されているが、曲状部５１２が設けられていることにより一部が弾性部材６００から離れて配置されるため、弾性部材６００における第１外レール５０２側の面を第２保持部４２３の一部により第１外レール５０２側から覆うように保持することができるため、弾性部材６００を安定して支持できる。
【００８８】
尚、図８に示すように、アース５１１は、第１外レール５０２の背面側に取付けられた状態において、その一部が第１外レール５０２に形成された孔部５０７を介して前面側に突出するようになっており、該突出した部分は、ガラス扉枠５０を閉鎖したときに該ガラス扉枠５０の背面に設けられたアース部材（図示略）に接触するようになっている。
【００８９】
また、図１１（Ｂ）に示すように、第１外レール５０２の曲状部５１２には、湾曲する方向に沿ってスリット５１３を穿設することができる。このスリット５１３を穿設することにより、レール飾り枠４１０の右上部における背面側にアース５１１を嵌め込むときに、アース５１１の向きを微調整することが容易となる。
【００９０】
レール飾り枠４１０の右側部端部と第２外レール５０３の上端部とを接合する部分においては、図１２（Ａ）に示すように、レール飾り枠４１０の右側部端部において前面側から背面側に向かって凹設された被係合部４２０に対し、第２外レール５０３の上端部において前面側から背面側に向かって突設された係合部５３０が嵌合するようになっている。これにより、レール飾り枠４１０は、第２外レール５０３により前方から後方へ押えられた状態となるので、該レール飾り枠４１０の安定性が向上する。
【００９１】
このように構成された遊技盤２にあっては、遊技球が衝突する弾性部材６００がレール飾り枠４１０の保持部（第１保持部４２１及び第２保持部４２３）に保持される。そして、このレール飾り枠４１０が複数のネジＮ１を用いて盤面板２００に螺着固定されることで、弾性部材６００が盤面板２００における所定位置に配置される。すなわち、弾性部材６００は、レール飾り枠４１０を介して盤面板２００の所定位置に設けられる。
【００９２】
そして、盤面板２００にレール飾り枠４１０に取付けた後、第２外レール５０３が盤面板２００に複数のネジＮ２により取付けられることで、第２外レール５０３の係合部５３０がレール飾り枠４１０の被係合部４２０に係合し、レール飾り枠４１０の右下端部が第２外レール５０３により前面側から押えられることで、レール飾り枠４１０が盤面板２００に保持される。
【００９３】
さらに、レール飾り枠４１０、第２外レール５０３、内レール５０１が盤面板２００に取付けられた遊技盤２を遊技機用枠３に組付け、レール飾り枠４１０の右上端部が盤押え金具１６２ａのレール押え片１７４により前面側から押えられることで、レール飾り枠４１０が盤面板２００に保持される。
【００９４】
このように、弾性部材６００を保持するレール飾り枠４１０を盤面板２００に取付けることで、弾性部材６００が遊技領域１０の所定位置に保持されるとともに、遊技盤２を遊技機用枠３に組付け、レール飾り枠４１０の複数箇所が第２外レール５０３及びレール押え片１７４により前面側から押えられることで、このレール飾り枠４１０の安定性が向上するため、該レール飾り枠４１０により保持されている弾性部材６００の保持位置からの位置ずれが抑制される。
【００９５】
尚、位置ずれとは、弾性部材６００の保持位置から前側への位置ずれ、つまり、盤面板２００の遊技盤面２００Ａから離れる方向への位置ずれや、突出部４２２を中心として回動する方向への位置ずれや、遊技盤面２００Ａに沿う方向への位置ずれ等も含む。
【００９６】
また、第２外レール５０３及び盤押え金具１６２ａのレール押え片１７４は、ガラス扉枠５０を開放した状態でレール飾り枠４１０を盤面板２００に保持する第２保持体として機能する。尚、特に図示しないが、ガラス扉枠５０のガラス窓５０ａは、閉鎖位置にあるときにレール飾り枠４１０の第１保持部４２１の前面に近接または当接するので、閉鎖位置にあるときには第２保持体として機能するが、開放位置にあるときには第２保持体としては機能しない。
【００９７】
また、パチンコ遊技機１においては、図６に示すように、遊技領域１０におけるセンター飾り枠５２の右側の第２経路Ｋ２に通過ゲート４１や一般入賞口４０１Ｃ及び図示しない複数の障害釘が設けられており、レール飾り枠４１０の第１保持部４２１で保持された弾性部材６００に衝突した遊技球がその衝突により軌道を変えながら第２経路Ｋ２を流下すると、通過ゲート４１を通過し、あるいは一般入賞口４０１Ｃへ進入することがある。前述したように、遊技球が通過ゲート４１を通過すると普通図柄の変動表示が開始され、普通可変入賞球装置６Ｂが開放状態となり第２始動入賞口へ遊技球が入賞すれば、第２特別図柄の変動表示が開始されて大当り遊技状態に制御される可能性がある。また、遊技球が一般入賞口４０１Ｃへ入賞すれば所定数の賞球が得られる。
【００９８】
すなわち、弾性部材６００に衝突した遊技球が第２経路Ｋ２を流下することで、遊技者にとって有利な価値（例えば、大当り遊技状態や賞球）が付与される可能性がある。ここで、遊技球が第２経路Ｋ２を流下する経路は、弾性部材６００に衝突したときの跳ね返り量や角度によって変化することがある。このため、その弾性部材６００が、遊技球が遊技者にとって有利な方向へ跳ね返るように形成された不正な弾性部材に交換されたり、弾性部材６００の向きを不正に変更されるなどして跳ね返り量等が変えられると、通過ゲート４１を通過したりあるいは一般入賞口４０１Ｃへ進入したりする遊技球の数が増加して、遊技者にとって有利な価値が付与される可能性が高くなる虞がある。
【００９９】
そこで、弾性部材６００を保持する第１保持体であるレール飾り枠４１０の複数個所がネジＮ１で螺着固定されていることで、弾性部材６００を盤面板２００から取外すには複数のネジＮ１を取外す必要が生じる。また、そのレール飾り枠４１０を保持する第２保持体である盤押え金具１６２ａのレール押え片１７４や第２外レール５０３の係合部５３０を備えることで、レール飾り枠４１０を盤面板２００から取外すには、盤押え金具１６２ａによる係止状態を解除したり、第２外レール５０３を盤面板２００から取外したりする必要が生じる。よって、このようにレール飾り枠４１０の取り外しを困難にして、弾性部材６００の交換を困難なものとすることで、弾性部材６００に対する不正行為を抑制することができる。
【０１００】
また、図１２（Ａ）、（Ｂ）に示すように、パチンコ遊技機１を正面視したときに、第１外レール５０２の左側端部ＬＴは、開放されたガラス扉枠５０の内側面を含む仮想延長面ＧＴよりも左側に位置している。これにより、遊技機用枠３に遊技盤２が組付けられた状態において、第１外レール５０２が取付けられたレール飾り枠４１０を取外そうとする場合には、ガラス扉枠５０を大きく開放しなければならず、また、大きく開放したとしても第１外レール５０２を前側に取外そうとしたときに該第１外レールの左部がガラス扉枠５０に当接する虞があることから、レール飾り枠４１０の取り外しが困難になる。これにより、弾性部材６００の交換を困難なものとすることができるので、該弾性部材６００に対する不正行為をより好適に抑制することができる。
【０１０１】
さらに、レール飾り枠４１０は、複数のネジＮ１を用いて遊技盤２に螺着固定されるが、ネジＮ１が挿通されるネジ孔がレール飾り枠４１０の全体に亘って複数箇所に穿設されている。例えば、図１２に示すように、レール飾り枠４１０は、遊技領域１０の左下側から左上側さらには右上側にまで位置しているが、これら左下側、左上側、右上側のそれぞれと、遊技領域１０の上側や左側にもネジ孔が穿設されており、複数のネジＮ１を用いて遊技盤２に螺着固定されている。このため、レール飾り枠４１０を取り外し弾性部材６００を交換して遊技球の跳ね返り量や角度を変更する不正行為を行う場合、それら複数のネジＮ１をすべて取外す手間がかかるようになり、不正行為を行う意欲が減衰することから該不正行為の発生を抑制できる。
【０１０２】
以上説明したように、本発明の実施例としてのパチンコ遊技機１にあっては、遊技媒体が衝突する被衝突体である弾性部材６００と、遊技盤２に取付けられ、弾性部材６００を遊技盤２の所定位置に保持するレール飾り枠４１０であるレール飾り枠４１０と、遊技盤２に取付けられたレール飾り枠４１０を保持する第２保持体である盤押え金具１６２ａのレール押え片１７４、第２外レール５０３、ネジＮ１、ガラス扉枠５０と、を備えている。このようにすることで、弾性部材６００を保持するレール飾り枠４１０が遊技盤に取付けられた状態で各第２保持体により保持されることで、レール飾り枠４１０の安定性が向上するため、弾性部材６００の位置ずれにより遊技性が損なわれることを抑制できる。
【０１０３】
また、前記実施例では、レール飾り枠４１０は、各第２保持体による保持状態を解除すること、例えば、ガラス扉枠５０を開放し、盤押え金具１６２ａと第２外レール５０３とネジＮ１とを取外すことをしない限り、遊技盤２から取外すことができないこととしている。このようにすることで、レール飾り枠４１０が遊技盤２から容易に取外されることを抑制できる。
【０１０４】
また、前記実施例では、レール飾り枠４１０は、弾性部材６００の保持位置からの位置ずれを規制する規制部であるレール飾り枠４１０の第１保持部４２１の板状部４２５及び突出部４２２、第２保持部４２３の係合突部４２８を有している。このようにすることで、レール飾り枠４１０に対し弾性部材６００が位置ずれして遊技性が損なわれることを抑制できる。また、弾性部材６００の背面６０６には係合突部４２８が係合しており、該弾性部材６００が外しにくくなっているので、該弾性部材６００を不正に交換する行為を抑制できる。
【０１０５】
また、前記実施例では、規制部は、弾性部材６００を保持した状態において該弾性部材６００が当接する当接面であって、互いに向きが異なる複数の当接面であるレール飾り枠４１０の第１保持部４２１における板状部４２５の内側面（後面）と、第２保持部４２３において弾性部材６００に当接する面から構成されている。このようにすることで、被衝突体を向きが異なる複数の当接面で押えることができるので、該被衝突体の位置ずれを好適に抑制できる。特に、図９（Ａ）に示すように、第１外レール５０２に沿って移動してきた遊技球Ｐが被衝突面６０１に衝突する場合と、第１外レール５０２から若干離れた位置を移動してきた遊技球Ｐが被衝突面６０１に衝突する場合とで、被衝突面６０１に衝突する位置が異なり、このような衝突位置のずれにより弾性部材６００が突出部４２２を中心として回動することにより生じる位置ずれが防止される。
【０１０６】
また、前記実施例では、レール飾り枠４１０は、弾性部材６００に形成された挿入孔である貫通孔６０２に挿入される保持用ピンであるレール飾り枠４１０の第１保持部４２１の突出部４２２を有し、突出部４２２は、基部側である突出方向の根本部の外径が先端部側である先端部の外径よりも大きくなっている。このようにすることで、弾性部材６００に生じる衝撃に対する保持用ピンの耐久性を高めることができる。
【０１０７】
また、前記実施例では、レール飾り枠４１０は、弾性部材６００に形成された挿入孔である貫通孔６０２に挿入される保持用ピンであるレール飾り枠４１０の第１保持部４２１の突出部４２２を有し、突出部４２２の内部には中空部である凹部４２６が形成されている。このようにすることで、突出部４２２の強度が高まるので、耐久性が向上する。
【０１０８】
また、前記実施例では、弾性部材６００は、少なくとも遊技球が衝突する衝突部である被衝突面６０１がレール飾り枠４１０の外側に位置するように該レール飾り枠４１０により保持されている。このようにすることで、レール飾り枠４１０に遊技球が衝突して該レール飾り枠４１０が破損することを抑制できる。
【０１０９】
以上、本発明の実施例を図面により説明してきたが、具体的な構成はこれら実施例に限られるものではなく、本発明の要旨を逸脱しない範囲における変更や追加があっても本発明に含まれる。
【０１１０】
例えば、前記実施例では、被衝突体の一例として、ゴム材からなる弾性部材６００を適用した形態を例示したが、本発明はこれに限定されるものではなく、被衝突体は弾性体に限定されるものではなく、例えば、合成樹脂材にて構成されていてもよい。
【０１１１】
また、前記実施例では、弾性部材６００を遊技盤２の所定位置に保持する第１保持体として、レール飾り枠４１０を適用した形態を例示したが、本発明はこれに限定されるものではなく、第２外レール５０３や内レール５０１等の他のレール部材であってもよい。また、レール部材だけでなく、例えば、弾性部材６００を保持するためだけに設けられた部材であってもよい。さらに、センター飾り枠５２、第１誘導部材ユニット３００、第２誘導部材ユニット３０１、第３誘導部材ユニット３０２など遊技球が頻繁に衝突し得る部材であればよい。尚、センター飾り枠５２とする場合、例えば、弾性部材６００を左上部（所謂ぶっこみ位置）に設け、遊技領域１０に進入した遊技球が衝突し得るように設けることが考えられる。
【０１１２】
また、前記実施例では、遊技盤２に取付けられたレール飾り枠４１０を保持する第２保持体として、盤押え金具１６２ａや第２外レール５０３を適用した形態を例示したが、本発明はこれに限定されるものではなく、例えば、他のレール部材を適用してもよいし、センター飾り枠５２や第１誘導部材ユニット３００、第２誘導部材ユニット３０１、第３誘導部材ユニット３０２といった遊技球の誘導部材等を適用してもよい。
【０１１３】
また、前記実施例では、遊技盤２に取付けられたレール飾り枠４１０を保持する第２保持体としての盤押え金具１６２ａや第２外レール５０３は、レール飾り枠４１０を前方から遊技盤面２００Ａ側へ向けて押えるように保持する部材であったが、本発明はこれに限定されるものではなく、レール飾り枠４１０の側面における複数個所を側方から支持するように保持する部材であってもよい。
【０１１４】
また、前記実施例では、遊技盤２に取付けられたレール飾り枠４１０を保持する第２保持体としての盤押え金具１６２ａや第２外レール５０３は、レール飾り枠４１０に当接して保持する部材とされていたが、本発明はこれに限定されるものではなく、レール飾り枠４１０に近接して配置され、所定以上の位置ずれが生じないように保持する部材であってもよい。
【０１１５】
また、前記実施例では、レール飾り枠４１０を遊技盤２に取付けるためのネジＮ１は、盤押え金具１６２ａや第２外レール５０３による保持状態を解除しなくても取外すことができる形態を例示したが、本発明はこれに限定されるものではなく、盤押え金具１６２ａや第２外レール５０３による保持状態を解除しなければ取外すことができないように設けられていてもよい。
【０１１６】
また、前記実施例では、盤押え金具１６２ａや第２外レール５０３による保持状態を解除しなければレール飾り枠４１０を遊技盤２から取外すことができない形態を例示したが、本発明はこれに限定されるものではなく、盤押え金具１６２ａや第２外レール５０３による保持状態を解除しなくても、ネジＮ１さえ取外せばレール飾り枠４１０を遊技盤２から取外すことができるようにしてもよい。
【０１１７】
また、前記実施例では、レール飾り枠４１０を盤面板２００に螺着固定するための複数のネジＮ１は同一種類のものであったが、本発明はこれに限定されるものではなく、異なる種類のもの、例えばプラスのネジとマイナスのネジを併用するようにしてもよい。これにより、これら複数のネジＮ１を取外すために複数の工具が必要となり手間がかかることから、弾性部材６００を交換しようとする不正行為を抑制できる。
【０１１８】
また、前記実施例では、レール飾り枠４１０とセンター飾り枠５２とを別の部材で成型する構成としたが、本発明はこれに限定されるものではなく、図１３の変形例１に示すように、飾り枠８００として一体で成型してもよい。すなわち、遊技球の移動する通路８１０において遊技盤２に沿って設けられた板状の側面部８１１を介して、センター飾り枠５２とレール飾り枠４１０が繋がった形状としてもよい。このような形状を有する飾り枠８００を設けることにより、部品を大型化して弾性部材６００の位置がずれるのを防止するとともに、飾り枠８００においてレール飾り枠４１０に相当する部分４１０’とセンター飾り枠５２に相当する部分５２’との間にて遊技球が通過する通路８１０の形状を安定させることができ、レール飾り枠４１０に相当する部分４１０’と通路８１０との位置関係がずれることで遊技性が損なわれることを抑制できる。
【０１１９】
また、飾り枠８００においては、通路８１０の側面部８１１からレール飾り枠４１０に相当する部分４１０’につながる部分において弾性部材６００に対向する面に突部８１２を形成し、該突部８１２を弾性部材６００に穿設された凹部６０８に圧入することで該弾性部材６００を取付けるようにしてもよい。このように弾性部材６００の凹部６０８に突部８１２を圧入することで、該弾性部材６００の位置ずれを防止できる。
【０１２０】
また、前記実施例では、弾性部材６００の形状を略直方体状としたが、略直方体状に限るものではなく、例えば、立方体形状など、線対称や点対称の形状に形成してもよい。例えば、図１４の変形例２に示すように、立方体状に形成された弾性部材６００は、貫通孔６０２が穿設されていない４つの面をそれぞれ被衝突面６０１とし、１の被衝突面６０１が摩耗したときに該弾性部材６００の向きを変えて他の被衝突面６０１を遊技球が衝突する面とすることとしてもよい。これにより、弾性部材６００の一部に不正行為がなされたとしても、該弾性部材６００の向きを変えることで、その不正行為による効果が生じないようにすることができる。また、１つの弾性部材６００を長期間使用できる。
【０１２１】
また、弾性部材６００において貫通孔６０２に対し直交する面（例えば、上面）において、貫通孔６０２に対し平行な複数の被衝突面６０１のいずれかに対応する個所に所定のマーク部６１０を設けることが好ましい。このようにすることで、該マーク部６１０に対応する被衝突面６０１を基準として使用すれば、いずれの被衝突面６０１を使用したか分かりやすくなる。また、レール飾り枠４１０に対するマーク部６１０の配置位置を決定しておけば、レール飾り枠４１０に対するマーク部６１０の配置位置が変わったときに不正行為が行われた可能性があることを特定しやすくなる。
【０１２２】
尚、マーク部６１０は、着色したり凹設したりするなどして設けてもよいし、あるいは、弾性部材６００を金型成型にて製造する場合、エジェクタピンにより押し出すことで型抜きする際に形成されるエジェクタピン跡等を利用して用いてもよい。
【０１２３】
また、図１５の変形例３に示すように、レール飾り枠４１０の第２保持部４２３には、弾性部材６００の背面６０６（弾性部材６００において第１保持部４２１に対向する面とは反対側の面）に係合する係合突部４２８を形成してもよい。これにより、弾性部材６００の位置ずれを防止できる。
【０１２４】
また、図１５に示すように、弾性部材６００の背面６０６に、該背面６０６から突設されて遊技盤２に当接する当接部６０７を形成してもよい。これにより、弾性部材６００の位置ずれを防止できる。
【０１２５】
また、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０１２６】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【０１２７】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【符号の説明】
【０１２８】
１        パチンコ遊技機
５０      ガラス扉枠
１６２ａ  盤押え金具
１７４    レール押え片
４１０    レール飾り枠
４２１    第１保持部
４２２    突出部
４２３    第２保持部
６００    弾性部材
６０１    被衝突面
６０２    貫通孔
【図１】
2018046992.tif 000003
【図２】
2018046992.tif 000004
【図３】
2018046992.tif 000005
【図４】
2018046992.tif 000006
【図５】
2018046992.tif 000007
【図６】
2018046992.tif 000008
【図７】
2018046992.tif 000009
【図８】
2018046992.tif 000010
【図９】
2018046992.tif 000011
【図１０】
2018046992.tif 000012
【図１１】
2018046992.tif 000013
【図１２】
2018046992.tif 000014
【図１３】
2018046992.tif 000015
【図１４】
2018046992.tif 000016
【図１５】
2018046992.tif 000017